(57)【要約】【課題】  音響電飾装置をユニット化した音響電飾ユニットによって構成することで、組立製造を簡略化することができる遊技機を提供する。【解決手段】  前側に音響電飾装置８０が装着された遊技機であって、音響電飾装置８０は、スピーカ９７と、電飾用光源１１１を有するランプ基板１１０と、を備えている。【選択図】        図５
2005312938.tif 000002
【特許請求の範囲】
【請求項１】
前側に音響電飾装置が装着された遊技機であって、
前記音響電飾装置は、スピーカと、電飾用光源を有するランプ基板と、を備えていることを特徴とする遊技機。
【発明の詳細な説明】
【技術分野】
【０００１】
この発明は、遊技機に関し、球（パチンコ球）を用いて遊技を行う遊技機（例えば、パチンコ機）やメダルを用いて遊技を行う遊技機（例えば、スロットマシン）に関する。
【背景技術】
【０００２】
この種の遊技機において、光による装飾効果（あるいは演出効果）や音による演出効果を図るために、遊技機の前側にスピーカと、光源と、を備えた音響電飾装置が配置されたものがある。
また、このような音響電飾装置において、ガラス扉（ガラス枠）の前側に装着されるベース盤上に、光源（ランプ）が配置されるランプ基板がビスによって装着され、そのランプ基板の左右両側方に隣接してスピーカがビスによって装着される。さらに、ベース盤の前側に、ランプ基板を覆うランプカバーが装着され、そのランプカバーの左右に隣接してスピーカを覆うスピーカカバーが装着されたものが知られている（例えば、特許文献１参照）。
【特許文献１】特開平８ー６６５３５号公報
【発明の開示】
【発明が解決しようとする課題】
【０００３】
ところで、前記した構造の音響電飾装置においては、ガラス扉の前側に装着されるベース盤上に、ランプ基板及びスピーカがビスによって装着された後、そのベース盤の前側にランプカバー、スピーカカバー、レンズ等が装着される構造となっている。
このため、遊技機の前側に、例えば、ガラス扉の前側に音響電飾装置を装着してガラス扉の全体を組立製造する工程中において、前記したガラス扉の前側にベース盤を装着する工程、ベース盤上にランプ基板及びスピーカをビスによって装着する工程、ベース盤の前側にランプカバー、スピーカカバー及びレンズを装着する工程を組み入れなければならず、ガラス扉の全体を組立製造するために、多くの工程及び時間が必要となる、という問題点があった。
【０００４】
この発明の目的は、前記問題点に鑑み、音響電飾装置をユニット化した音響電飾ユニットによって構成することで、組立製造を簡略化することができる遊技機を提供することである。
【課題を解決するための手段】
【０００５】
前記目的を達成するために、請求項１の発明に係る遊技機は、
「前側に音響電飾装置が装着された遊技機であって、
前記音響電飾装置は、ユニット化された音響電飾ユニットによって構成され、
前記音響電飾ユニットは、その本体部がユニット本体によって形成され、
前記ユニット本体には、スピーカを、その前フランジ部において支持するスピーカ支持体が一体に形成され、
前記ユニット本体の後側には、同ユニット本体との間に空間部を構成して塞ぐ背面カバー体が装着され、
前記ユニット本体と前記背面カバー体との間には、光源を有するランプ基板が前記空間部に収納された状態で配設され、
前記スピーカの振動板の後側に、同スピーカに対応する音響空間が区画された状態で形成されていることを特徴とする遊技機。」
を要旨とするものである。
ここで、遊技機の前側とは、遊技機の本体枠の前側や、その本体枠の前側に開閉可能に装着されるガラス扉（あるいは開閉扉）の前側等をいう。
【０００６】
前記構成において、遊技機の組立製造ラインあるいはガラス扉の組立製造ラインとは別の場所において、ユニット本体、背面カバー体、スピーカ、及び光源を有するランプ基板をそれぞれ組み付けて音響電飾ユニットを構成することができる。このため、遊技機の組立製造ラインあるいはガラス扉の組立製造ライン中に、スピーカを装着する工程、及び光源を有するランプ基板を装着する工程を組み入れる必要性を解消することができ、遊技機あるいはガラス扉の組立製造を簡略化することができる。
また、スピーカ支持体をユニット本体に一体に形成することによって、ユニット本体と別個にスピーカ支持体を製作して組み付ける手間を省くことができ、その分だけ部品点数や組付工数を削減して、コスト低減を図ることができる。
また、ユニット本体と背面カバー体との間に構成された空間部に、光源を有するランプ基板が収納された状態で配設されることで、そのランプ基板を保護することができる。
また、スピーカの振動板の後側にスピーカに対応する音響空間を区画した状態で形成することで、音響効果を高めることができる。
すなわち、スピーカの振動板の後側の空間部が部分的に外部に開放され空間部である場合には、スピーカ作動時の振動板の振動によって、その振動板の後側の空間部に発生する空気振動（逆位相の音）が後側の空間部の開放部分から外部に放出される。これによって、スピーカの振動板の前側に発生する空気振動（正位相の音）が相殺されて音響効果が低下されることがある。
これに対し、スピーカの振動板の後側にスピーカに対応する音響空間を区画した状態で形成することで、振動板の後側に発生する逆位相の音が前側に向けて出されることを防止することができる。
さらに、振動板の後側に発生する逆位相の音を音響空間において良好に減衰することができ、逆位相の音の内部反射によって、振動板の動き（振動）が阻害されることを防止することができる。この結果、音響効果を良好に高めることができる。
【０００７】
請求項２の発明に係る遊技機は、
「請求項１に記載の遊技機であって、
背面カバー体の内面には、ランプ基板の後面に向けて突出する仕切壁が形成され、
スピーカの振動板の後側に区画される音響空間は、ユニット本体のスピーカ支持体、前記ランプ基板、前記背面カバー体及び前記仕切壁によって区画形成されていることを特徴とする遊技機。」
を要旨とするものである。
したがって、スピーカの振動板の後側において、同スピーカに対応する容積をもつ音響空間をスピーカ支持体、ランプ基板、背面カバー体及び仕切壁によって容易に区画して形成することができ、音響効果を高めることができる。
【０００８】
請求項３の発明に係る遊技機は、
「請求項１又は２に記載の遊技機であって、
スピーカ支持体には、後方からスピーカが嵌込まれるスピーカ装着孔が形成されるとともに、そのスピーカ装着孔の前開口部近傍には、前記スピーカの前フランジ部に当接する支持縁が形成され、
背面カバー体には、同背面カバー体がユニット本体の後側に装着されたときに、前記スピーカの前フランジ部の後面の複数箇所を前記支持縁に押し付けて前記スピーカを保持する複数の押え体が一体に形成されていることを特徴する遊技機。」
を要旨とするものである。
したがって、スピーカ支持体のスピーカ装着孔の後方からスピーカが嵌込まれた後、スピーカ収納体の後側に背面カバー体が装着されることによって、スピーカ装着孔の支持縁と、背面カバー体の複数の押え体との協働によってスピーカの前フランジ部を狭持して容易に固定することができる。このため、スピーカを固定するためのビスが不要となり、スピーカ収納体に対するスピーカの装着作業を容易化することができる。
【０００９】
請求項４の発明に係る遊技機は、
「請求項１又は２に記載の遊技機であって、
スピーカ支持体には、後方からスピーカが嵌込まれるスピーカ装着孔が形成されるとともに、そのスピーカ装着孔の前開口部近傍には、前記スピーカの前フランジ部に当接する支持縁が形成され、
背面カバー体には、同背面カバー体がユニット本体の後側に装着されたときに、前記スピーカの後面を弾性的に押圧して同スピーカの前フランジ部を前記スピーカ装着孔の支持縁に当接状態に保持する弾性押え体が一体に形成されていることを特徴する遊技機。」
を要旨とするものである。
したがって、スピーカ支持体のスピーカ装着孔の後方からスピーカが嵌込まれた後、スピーカ収納体の後側に背面カバー体が装着されることによって、スピーカ装着孔の支持縁と、背面カバー体の複数の弾性押え体との協働によってスピーカの前フランジ部と同スピーカの後面とを狭持して容易に固定することができる。このため、スピーカを固定するためのビスが不要となり、スピーカ支持体に対するスピーカの装着作業を容易化することができる。
【００１０】
請求項５の発明に係る遊技機は、
「請求項１〜４のいずれか一項に記載の遊技機であって、
ユニット本体には、ランプ基板の光源が発する光を拡散して反射する反射面が形成されていることを特徴する遊技機。」を要旨とするものである。
したがって、ユニット本体とは別個に反射鏡を製作してユニット本体に組み付ける手間を省くことができ、コスト低減に効果が大きい。
【発明の効果】
【００１１】
この発明によれば、ユニット本体、背面カバー体、スピーカ、及び光源を有するランプ基板をそれぞれ組み付けて音響電飾ユニットを構成することで、遊技機の組立製造ラインあるいはガラス扉の組立製造ライン中に、スピーカを装着する工程、及び光源を有するランプ基板を装着する工程を組み入れる必要性を解消することができ、遊技機あるいはガラス扉の組立製造を簡略化することができる。
しかも、スピーカ支持体をユニット本体に一体に形成することによって、ユニット本体と別個にスピーカ支持体を製作して組み付ける手間を省くことができ、その分だけ部品点数や組付工数を削減して、コスト低減を図ることができる。
しかも、スピーカの振動板の後側にスピーカに対応する音響空間を区画した状態で形成することで、音響効果を良好に高めることができる。
【発明を実施するための最良の形態】
【００１２】
次に、この発明を実施するための最良の形態を実施例にしたがって説明する。
【実施例１】
【００１３】
図１は遊技機の外枠の一側に本体枠が開かれその本体枠の一側にガラス扉が開かれた状態を示す斜視図である。図２は遊技機の前側全体を示す正面図である。図３は遊技機を斜め右上前方から示す斜視図である。図４はガラス扉と音響電飾ユニットとを分離して斜め左上前方から示す斜視図である。図５はガラス扉と音響電飾ユニットとを分離して斜め左上後方から示す斜視図である。図６は音響電飾ユニットを示す背面図である。図７は図６のＶＩＩ−ＶＩＩ線に基づく断面図である。図８は音響電飾ユニットの構成部材を分離して示す斜視図である。図９は音響電飾ユニットの平断面図である。図１０はユニット本体のスピーカ支持体にスピーカが装着された状態を拡大して示す平断面図である。図１１はガラス扉全体を示す背面図である。図１２はガラス扉を斜め左上後方から示す斜視図である。図１３は図１１のＸＩＩＩ−ＸＩＩＩ線に基づくガラス扉の音響用通路を示す平断面である。図１４は図１１のＸＩＶ−ＸＩＶ線に基づく上皿装置と上皿用球誘導部材との関係を示す側断面図である。図１５は上皿用球誘導部材を後側から示す斜視図である。図１６は上皿用球誘導部材を前側から示す斜視図である。図１７はガラス扉のガラス枠とガラス押え部材とを分離して示す斜視図である。図１８は図１１のＸＶＩＩＩ−ＸＶＩＩＩ線に基づくガラス押え部材の断面図である。図１９はガラス枠、ガラス押え部材及び配線ダクト部材の関係を破断して示す説明図である。図２０はガラス枠、ガラス押え部材及び配線ダクト部材の関係を分離して示す斜視図である。図２１は扉本体フレームに配線ダクト部材が装着された状態を示す縦断面図である。図２２は図２１のＸＸＩＩ−ＸＸＩＩ線に基づく配線ダクト部材の平断面図である。図２３は図２１のＸＸＩＩＩ−ＸＸＩＩＩ線に基づく配線ダクト部材の平断面図である。なお、説明の便宜上、遊技機において遊技者側を前、反対側を後として説明する。
【００１４】
［遊技機の概要について］
図１〜図３に示すように、遊技機としてのパチンコ機は、外枠１０、本体枠２０、遊技盤４１、ガラス扉６０等を備えて構成されている。
外枠１０は、上下左右の枠材によって縦長四角形の枠状に形成され、同外枠１０の前側下部には、本体枠２０の下面を受ける下受板１５を有している。
外枠１０の前面の一側には、本体枠開閉用ヒンジ機構１９によって本体枠２０が前方に開閉可能に装着されている。
【００１５】
また、本体枠２０は、前枠体２１、遊技盤装着枠４０及び機構装着体５０を合成樹脂材によって一体成形することで構成されている。
本体枠２０の前側に形成された前枠体２１は、外枠１０前側の下受板１５を除く外郭形状に対応する大きさの矩形枠状に形成されている。
【００１６】
［遊技盤について］
図１に示すように、本体枠２０の前枠体２１の後部に一体に形成された遊技盤装着枠４０には遊技盤４１が前方から着脱交換可能に装着されるようになっている。
遊技盤４１の盤面（前面）には、外レールと内レールとを備えた案内レール４２が設けられ、その案内レール４２の内側に遊技領域４３が区画形成されている。
遊技盤４１には、その遊技領域４３内において、遊技に関する役物装置、例えば、センタ役物と呼ばれる役物装置４４が装着されている。また、役物装置４４の役物本体４５には、その中央部に形成された開口部に表示面を臨ませて図柄表示装置（例えば、液晶表示器、ＥＬ表示器，プラズマ表示器，ＣＲＴ等）４６が装着されている。また、遊技盤４１の盤面（前面）の遊技領域４３内には図示しない入賞器、風車器、誘導釘、ランプ装飾部材等の各種の装備品が配設されている。
【００１７】
図１に示すように、本体枠２０の前枠体２１の前側において、遊技盤装着枠４０よりも下方に位置する前枠体２１の前下部領域の一側寄りには、スピーカ装着部材３０を介してスピーカ（この実施例１では低音用スピーカ）３３が装着されている。
また、前枠体２１前面の下部領域内の上側部分には、遊技盤４１の発射通路に向けて球を導く発射レール２２が傾斜状に装着されている。
また、前枠体２１前面の下部領域内の下側部分には、下前面部材２３が装着されている。下前面部材２３の前面の略中央部には、下皿２４が設けられ、片側寄りには操作ハンドル２８が設けられている。
【００１８】
また、この実施例１において、図３に示すように、下皿２４の底板の略中央部には球落下孔２５が形成され、その球落下孔２５の下側には同球落下孔２５を開閉する開閉シャッタ２６が配設されている。
また、下皿２４の前壁部の左右方向中央部の下半部には、逆Ｕ字状に切り欠れた切欠部２４ａが形成され、その切欠部２４ａには、押し込み操作によって開閉シャッタ２６を開閉動作させる操作ボタン２７が、その前面を下皿２４の前壁部の前面と略同一面をなして装着されている。このようにして、下皿２４の前壁部の切欠部２４ａに操作ボタン２７が押し込み操作可能に装着されることで、遊技者はその指先を操作ボタン２７の前面に当てて押し込む操作時に、その指先が他の部分、例えば下皿２４の前壁部に当たることなく容易に押し込み操作して開閉シャッタ２６を開閉することができる。
【００１９】
［施錠装置について］
図１に示すように、本体枠（前枠体２１）２０のヒンジ機構と反対側に自由端側の後側には、外枠１０に対し本体枠２０を施錠する機能と、本体枠２０に対し後に詳述するガラス扉６０を施錠する機能とを兼ね備えた施錠装置５２が装着されている。
すなわち、施錠装置５２は、外枠１０に設けられた閉止具１７に係脱可能に係合して本体枠２０を閉じ状態に施錠する上下複数の本体枠施錠フック５３と、後述するガラス扉６０の自由端側の後側に設けられた閉止具６３に係脱可能に係合してガラス扉６０を閉じ状態に施錠する上下複数の扉施錠フック５４とを備えている。
そして、シリンダー錠５５の鍵穴に鍵が挿入されて一方向に回動操作されることで本体枠施錠フック５３と外枠１０の閉止具１７との係合が外れて本体枠２０が解錠され、これとは逆方向に回動操作されることで、扉施錠フック５４とガラス扉６０の閉止具６３との係合が外れてガラス扉６０が解錠されるようになっている。
なお、シリンダー錠５５の前端部は、遊技機の前方から鍵を挿入して解錠操作可能に、前枠体２１及び下前面部材２３を貫通してその下前面部材２３の前面に露出されている。
【００２０】
［ガラス扉の概要について］
図１〜図３に示すように、本体枠（前枠体２１）２０の前面の一側には、扉開閉用ヒンジ機構５１によってガラス扉６０が前方に開閉可能に装着されている。
図３と図４に示すように、ガラス扉６０は、扉本体フレーム６１、サイド装飾装置７０、上皿装置６５、音響電飾ユニット８０を備えて構成されている。
また、扉本体フレーム６１は、プレス加工された単数または複数の金属製フレーム構成部材によって形成され、本体枠２０の前枠体２１の上端から下部前面板５１の上縁にわたる部分を覆う大きさに形成されている。
扉本体フレーム６１の略中央部には、遊技盤４１の遊技領域３３を前方から透視可能な略円形の開口窓６２が形成されている。
【００２１】
［ガラス扉の前側構成について］
図３と図４に示すように、扉本体フレーム６１の前側には、その開口窓６２の周囲において、上部に後述する音響電飾ユニット８０が装着され、左右両側部にサイド装飾装置７０が装着され、下部に上皿装置６５が装着されている。
サイド装飾装置７０は、ランプ基板が内部に配置されかつ合成樹脂材により形成されたサイド装飾体７１を主体として構成されている。このサイド装飾体７１には横方向に長いスリット状の開口孔が上下方向に複数配列されており、その開口孔には、ランプ基板に配置された光源に対応するレンズ７３が組み込まれている。
また、上皿装置６５は、多数個の球を保留しその球を整列させてその最前端の球を発射レール２２の球発射位置に供給するためのものであり、図３、図４及び図１４に示すように、扉本体フレーム６１の前側下部に装着された合成樹脂製の上皿取付基板６６と、その上皿取付基板６６の前側に装着された合成樹脂製の上皿体６７及び上皿外ケース６８とを備えている。
【００２２】
［ガラス扉の音響用通路について］
図１１〜図１３に示すように、扉本体フレーム６１の下部には、本体枠２０側のスピーカ（低音用スピーカ）３３の前方に対応する位置において切欠部６１ａが形成され、その切り欠き部に臨む上皿取付基板６６の部分には、多数の通過孔６６ａが貫設されている。
一方、図１３に示すように、上皿外ケース６８の内部には、多数の通過孔６６ａに後端部が連通する音響用通路６９が区画形成されている。
さらに、図４と図１３に示すように、上皿外ケース６８の下部の左右方向略中央部には、音響用通路６９の前端部を開口する複数のスリット状の開口孔６８ａが形成されている。
したがって、本体枠２０側のスピーカ３３が発する音が、多数の通過孔６６ａ、音響用通路６９及び複数のスリット状の開口孔６８ａを順に通して外部に放出される。このため、本体枠２０側のスピーカ３３が発する音が「こもる」という不具合を防止することができる。
【００２３】
［扉本体フレームの接触回避孔について］
図１１と図１２に示すように、扉本体フレーム６１の所定位置には、左右のサイド装飾装置７０のサイド装飾体７１の内部に配置された電機部品、例えば、サイドランプ基板７５との電気的な接触を回避するための接触回避孔６４が適宜に貫設されている。これによって、金属製の扉本体フレーム６１が原因となる漏電事故（ショート）を未然に防止するようになっている。
【００２４】
［ガラス扉の音響電飾ユニットについて］
図４と図５に示すように、音響電飾装置を構成するトップランプユニットとしての音響電飾ユニット８０は、１つにユニット化されて扉本体フレーム６１の前側上部にビス７９によって装着されている。
図８と図９に示すように、音響電飾ユニット８０は、その本体部をなすユニット本体８１を主体として構成されている。
ユニット本体８１は、合成樹脂材によって形成されるとともに、ガラス扉６の略全幅にわたる長さ寸法を有する横長状に形成されている。
さらに、ユニット本体８１は、複数（この実施例では左右の一対）のスピーカ支持体９０、中央部のリフレクタ体１００、及び左右のサイドリフレクタ体１３０を一体に備えている。
【００２５】
また、図６と図７に示すように、ユニット本体８１の周壁部８２の後側には、ユニット本体８１との間に空間部を構成しかつ周壁部８２がなす開口部を塞ぐ背面カバー体１５０が複数本のビス１５９等によって装着されている。
図８〜図１０に示すように、ユニット本体８１の複数（左右一対）のスピーカ支持体９０には、スピーカ９７がそれぞれ装着され、同ユニット本体８１と背面カバー体１５０との間には、光源１１１を有するランプ基板１１０が前記空間部に収納された状態で配設されている。これによってユニット化された音響電飾ユニット８０が構成されるようになっている。
【００２６】
［ユニット本体のスピーカ支持体について］
図９と図１０に示すように、複数のスピーカ支持体９０は、前後方向に延びる筒状（円筒状）に形成され、これら複数のスピーカ支持体９０の筒内には後方からスピーカカバー９５及びスピーカ（この実施例１では中高音用スピーカ）９７が順に嵌込まれるスピーカ装着孔９３が形成されている。
また、スピーカ装着孔９３の前開口部近傍には、スピーカカバー９５のカバー周縁部９６に当接する支持縁９４が形成されている。なお、スピーカカバー９５を廃止したり、あるいは、スピーカカバー９５をスピーカ支持体９０の前側から装着する構成にした場合には、スピーカ９７の前側の前フランジ部９９をスピーカ装着孔９３の支持縁９４に当接させるようにすればよい。
【００２７】
［ユニット本体のリフレクタ体について］
図８〜図１０に示すように、ユニット本体８１において、その複数のスピーカ支持体９０の間に一体に形成されたリフレクタ体１００には、椀形状に凹まされ複数の椀形状反射面１０１が横方向に一部重なり合うようにして配列されて形成されている。また、複数の椀形状反射面１０１を含むリフレクタ体１００の表面には、真空蒸着加工、スパッタリング加工等によって金属薄膜層が施されている。
また、図８〜図１０に示すように、複数の椀形状反射面１０１は、周方向及び半径方向に略蜘蛛の巣形状の境界線をもって連続する多数の略平坦状の分割反射面１０３によって構成されている。
また、この実施例１において、図１０に示すように、椀形状反射面１０１の半径方向及び周方向においては、傾斜面をなす分割反射面１０３ａの部分と垂直面をなす分割反射面１０３ｂの部分とが交互に形成されている。
【００２８】
図９と図１０に示すように、複数の椀形状反射面１０１の各中心部には中心孔が貫設され、リフレクタ体１００の後側には、各中心孔にそれぞれ対応する位置に、単数、又は複数のランプ、ＬＥＤ等よりなる光源１１１が配設されたランプ基板１１０が装着されている。
また、複数の椀形状反射面１０１の各中心孔には、各光源１１１が発する光を椀形状反射面１０１に向けて反射させる光反射体１２０が配置されている。
【００２９】
この実施例１において、各中心孔に対応する光源１１１は、複数（例えば、４つ）のＬＥＤにより構成されている。さらに、複数のＬＥＤは同一円周上に配置されるとともに、これら複数のＬＥＤは、青色のＬＥＤと、赤色のＬＥＤとが周方向に交互に配設されている。
また、図１０に示すように、光反射体１２０は、透明な合成樹脂材によって形成され、前部に光反射部１２１を有し、後部にランプ基板１１０の複数のＬＥＤの周縁部を取り囲んで覆う大径の筒部１２３が段差部をもって一体に形成されている。
【００３０】
すなわち、図１０に示すように、光反射体１２０の光反射部１２１は、椀形状反射面１０１の中心孔の後側開口部から嵌挿されてかつ段差部が中心孔の後側周縁部に当接した状態で所定量だけ前方に突出する円柱状（又は三角柱、四角柱、多角柱等の角柱状）に形成されるとともに、その突出端面の周縁部から後端面近傍に向けて略円錐状（又は角錐状）に凹まされて凹部１２１ａが形成されている。これによって、光反射部１２１は、その凹部１２１ａの周囲において傾斜状の内反射面を有して断面略三角形状をなすプリズム体を構成している。以下、光反射部１２１をプリズム体１２１ともいう。
また、光反射体１２０の段差部が中心孔の後側周縁部に当接した状態において、同光反射体１２０の筒部１２３の端面はランプ基板１１０の前面に近接又は当接されることによって、ランプ基板１１０とリフレクタ体１００との間に光反射体１２０が保持されるようになっている。
【００３１】
また、この実施例１において、図８〜図１０に示すように、複数のスピーカ支持体９０のサイド部には、サイドリフレクタ体１３０がユニット本体８１と一体に形成されている。これら両サイドリフレクタ体１３０は、前述した中央部のリフレクタ体１００と略同様にして、多数の分割反射面１３３によって構成される椀形状反射面１３１が上下に配列され、その椀形状反射面１３１の中心孔には光反射体１４５が配置され、後側には光源１４１としてのＬＥＤが配設された左右の両ランプ基板１４０が装着されている。
【００３２】
また、この実施例１において、左右の両ランプ基板１４０のうち、図８に向かって右側のランプ基板１４０ａは中継基板を兼用している。
すなわち、図１０に示すように、右側の中継基板兼用のランプ基板１４０ａには、本体枠２０側（遊技盤４１の後側）に配置された制御基板（図示しない）に一端が接続された接続線２２５の端末コネクタ２２６が接続されている。そして、中継基板兼用のランプ基板１４０ａと中央部のランプ基板１１０とが接続線によって電気的に接続され、中央部のランプ基板１１０と左側のランプ基板１４０ｂとが接続線によって電気的に接続される。
また、右側の中継基板兼用のランプ基板１４０ａと右側のスピーカ９７、左側のランプ基板１４０ｂと左側のスピーカ９７が接続線によって電気的に接続されるようになっている。
【００３３】
［音響電飾ユニットの背面カバー体について］
図６と図７に示すように、ユニット本体８１の周壁部８２の後側開口部を塞ぐようにして複数本のビス１５９等によって装着される背面カバー体１５０において、図８〜図１０に示すように、背面カバー体１５０の内壁面には、複数（左右一対）のスピーカ９７の後端部が嵌込まれる嵌込部１５５が環状に突設されている。
また、図８〜図１０に示すように、背面カバー体１５０の両嵌込部１５５の突出端には、スピーカ９７の前フランジ部９９の後側の複数箇所を前方に向けて押し付けて同スピーカ９７の前フランジ部９９と共に、スピーカカバー９５のカバー周縁部９６をスピーカ装着孔９３の支持縁９４に当接状態に保持する複数（図８では３つ）の押え体１５６が一体に形成されている。
すなわち、スピーカ支持体９０のスピーカ装着孔９３の後方からスピーカカバー９５とスピーカ９７とが順次に嵌込まれた後、ユニット本体８１の後側に背面カバー体１５０が複数本のビス１５９等によって装着されることによって、スピーカ装着孔９３の支持縁９４と、背面カバー体１５０の複数の押え体１５６との協働によってスピーカ９７の前フランジ部９９及びスピーカカバー９５を狭持状態で固定するようになっている。
【００３４】
また、図８〜図１０に示すように、背面カバー体１５０には、２つの仕切壁１５８がランプ基板１１０の後面に向けて突出して一体に形成されている。そして、ユニット本体８１の後側に背面カバー体１５０が複数本のビス１５９等によって装着されることによって、背面カバー体１５０の仕切壁１５８の突出端（前端）がランプ基板１１０の背面に当接しかつランプ基板１１０をユニット本体８１の前側の内壁面に押し付けるようになっている。そして、複数（左右一対）のスピーカ９７の振動板９７ａの後側には、ユニット本体８１のスピーカ支持体９０、背面カバー体１５０、仕切壁１５８、ランプ基板１１０及びユニット本体８１の周壁部８２によって囲まれた複数（左右２つ）の音響空間１６０がそれぞれ略密閉状態で区画形成されている。しかも、筒状のスピーカ支持体９０により形成されたスピーカ装着孔９３がスピーカ９７の直ぐ後ろに奥行きのある空間を形成し、この空間が音響空間１６０としても機能する構造になっている。
すなわち、この実施例１において、背面カバー体１５０に対する２つの仕切壁１５８の配設位置を適宜に設定することによって、複数のスピーカ９７に対応する容積をもつ音響空間１６０がそれぞれ個別に区画形成されるようになっている。
また、複数の音響空間１６０は、スピーカ９７の振動板９７ａの後側に発生する逆位相の音を良好に減衰することができ、逆位相の音の内部反射によって、振動板９７ａの動き（振動）が阻害されることを防止できる容積をもってそれぞれ区画されている。
【００３５】
また、図１０に示すように、背面カバー体１５０には、中継基板兼用のランプ基板１４０ａの後面に突設された基板コネクタ１４８を後方に露出するための開口孔１５０ａが貫設されている。
そして、後述する配線ダクト部材２３０に挿通されてその配線ダクト部材２３０の上端から突出された複数本の接続線２２５の端末コネクタ２２６が中継基板兼用のランプ基板１４０ａの基板コネクタ１４８に差し込まれるようになっている（図５参照）。
【００３６】
また、この実施例１において、図５と図８に示すように、ユニット本体８１の前側には、一対のスピーカ支持体９０の前側部分を除くユニット本体８１の略全体を被うようにして透明（無色透明）な合成樹脂材より形成された前カバー体１７０が装着されている。そして、前カバー体１７０によって、中央部のリフレクタ体１００と左右の両サイドリフレクタ体１３０が保護されるとともに外観意匠が高められている。なお、前カバー体１７０は必ずしも必要ではなく、前カバー体１７０を廃止した構成にすることも可能である。
【００３７】
［ガラス扉の後側のガラス枠及びガラス押え部材について］  
図１１と図１２に示すように、扉本体フレーム６１の後側には、その開口窓６２の外側において底枠部１８１と左右の両側枠部１８２とを備えて略Ｕ字枠状をなすガラス枠１８０が一体状に形成されている。
図１４、図１７及び図２０に示すように、ガラス枠１８０には、前後２枚のガラス板、透明樹脂板等の透明板１８５が上方から差し込まれて着脱可能に装着される前後の嵌込み溝１８３が形成されている。
【００３８】
図１１と図１２に示すように、ガラス枠１８０の左右の両側枠部１８２の上端部に跨って、前後２枚の透明板１８５の上端を押える合成樹脂製のガラス押え部材１９０が着脱可能に装着されている。
図１７に示すように、ガラス押え部材１９０は、左右一対の差込片１９３、ガタ防止片１９５、操作用摘み部１９８等を一体に備えて形成されている。
【００３９】
特に、この実施例１において、ガラス押え部材１９０は、左右の両側枠部１８２の間の最大幅寸法を越えることがない程度の長さ寸法内において長尺に形成されている。
図１７、図１９及び図２０に示すように、ガラス押え部材１９０の長手方向両端部には、左右の両側枠部１８２の上端部内側に弾性変形して差し込まれる左右一対の差込片１９３が下向きに突設され、これら差込片１９３の外側面には、左右の両側枠部１８２の前後の嵌込み溝１８３の中間部に位置して形成された係止孔１８４に係合する抜止片１９４が突設されている。
【００４０】
図１７と図１８に示すように、ガラス押え部材１９０の前後両側部には、前後２枚の透明板１８５の上端面に接近又は当接するフランジ状の押え部１９２が形成されている。さらに、ガラス押え部材１９０の左右部には、前後２枚の透明板１８５の間に差し込まれかつこれら両透明板１８５の相対する面にそれぞれ弾性的に圧接することで、前後方向のガタツキを防止する左右各一対のガタ防止片１９５が下向きに突設されている。
また、ガラス押え部材１９０には、その撓みを防止するための箱形状をなす中央補強部１９６と左右方向に伸びる補強リブ１９７とがそれぞれ形成されている。
また、押え本体１９１の長手方向両端部寄り上面には、左右一対の操作用摘み部１９８が上方に向けて突設されてている。
【００４１】
前記したように、ガラス押え部材１９０は、その長手方向両端部の左右一対の差込片１９３が、ガラス枠１８０の左右の両側枠部１８２の上端部内側に沿って弾性変形されて差し込まれることで、これら差込片１９３の抜止片１９４が係止孔１８４に係合し、これによって左右の両側枠部１８２の上端部に跨って装着されるようになっている（図１９参照）。
【００４２】
ガラス押え部材１９０の装着状態において、そのガラス押え部材１９０は、ガラス枠１８０の左右の両側枠部１８２の間の最大幅寸法を越えることがない程度の長さ寸法内に収められる。このため、ガラス枠１８０の左右の両側枠部１８２の外側部分において、所要とする部材が配設可能となっている。
この実施例１においては、ガラス枠１８０の左右の両側枠部１８２のうち、ヒンジ側と反対側の自由端側に位置する側枠部１８２の外側に沿って、ガラス押え部材１９０が妨害物となることなく、後述する配線ダクト部材２３０が配設可能となっている。
【００４３】
［ガラス扉の上皿用球誘導部材について］
図１１と図１２に示すように、ガラス扉６０の下部のヒンジ寄り部分には、本体枠２０側に配置の球払出装置（図示しない）から払い出された球を上皿装置６５の上皿体６７に誘導するための合成樹脂製の上皿用球誘導部材２００が装着されている。
図１４〜図１６に示すように、上皿用球誘導部材２００は、その前側部に前誘導筒２０１が、後側に後誘導筒２０２が連通状に形成されている。そして、後誘導筒２０２の後端部は、球払出装置の払出口に連通状に臨み、前誘導筒２０１の前端部は、図に示すように、上皿取付基板６６に形成された上皿用球放出口６６ｂに連通状に臨んでいる。
【００４４】
図１５と図１６に示すように、上皿用球誘導部材２００の前誘導筒２０１と後誘導筒２０２との境界部の外周には、本体枠２０側（遊技盤４１の後側）の制御基板（図示しない）と、ガラス扉６０の下部の左右方向の略中央部に配置された扉中継基板２２１とを電気的に接続するための複数本の接続線２２０を押えるために、左右方向に長い四角形状のフランジ体２０５が形成されている。
【００４５】
また、この実施例１において、図１５と図１６に示すように、上皿用球誘導部材２００のフランジ体２０５の一側縁には前方に向けて略垂直状に張り出す側壁部２０６が形成され、同フランジ体２０５の上縁部には前方に向けて略水平状に張り出す上壁部２０８が形成されている。
さらに、側壁部２０６の上端部には、上壁部２０８の下方に沿って挿通された複数の接続線２２０が扉中継基板２２１に向けて挿通される配線用挿通部２０７が切り欠き状に形成されている。
【００４６】
すなわち、本体枠２０側（遊技盤４１の後側）の制御基板（図示しない）に一端部が接続された複数本の接続線２２０の他端部は、上皿用球誘導部材２００のフランジ体２０５の上壁部２０８の下面に沿って挿通されかつ側壁部２０６の上端部の切り欠き状の配線用挿通部２０７に挿通されて扉中継基板２２１に接続されるようになっている。
そして、横長のフランジ体２０５によって複数本の接続線２２０が押えられることで所定の配線状態で保持されるようになっている（図１２参照）。
このようにして、上皿用球誘導部材２００のフランジ体２０５によって複数本の接続線２２０を押えることで、専用の押え部材を製作して組み付ける手間を省くことができ、この分だけ部品点数や組付工数を削減してコスト低減を図ることができる。
【００４７】
［上皿用球誘導部材の保護板について］
図１４と図１６に示すように、合成樹脂製の上皿用球誘導部材２００と合成樹脂製の上皿取付基板６６との間には、これら両部材に連通状に形成された前誘導筒２０１と上皿用球放出口６６ｂとを保護するための保護板２１０が配設されている。
この保護板２１０は、耐熱性を有する材料、例えば金属製板材の折り曲げ加工によって略逆Ｕ字に形成されるとともに、前誘導筒２０１及び上皿用球放出口６６ｂの上部及び左右両側部を覆う上板部２１１と両側板部２１２とを備えている。
すなわち、保護板２１０が配設されていない場合、加熱された棒状部材によって前誘導筒２０１あるいは上皿用球放出口６６ｂの上部や側部に孔が不測に明けられ、その孔から異物が不測に侵入されて不正行為がなされる場合がある。
これに対し、前記したように、金属製の保護板２１０によって合成樹脂製の前誘導筒２０１及び上皿用球放出口６６ｂの上部及び左右両側部を覆って保護することによって、異物の不測の侵入を金属製の保護板２１０によって止めることができ、不正行為を防止することができる。
【００４８】
［ガラス扉の配線ダクト部材について］
図１１と図１２に示すように、ガラス扉６０の扉本体フレーム６１の後面の自由端側に位置する部分には、ガラス扉６０の下部の扉中継基板２２１に一端部が接続された複数本の接続線２２５を同ガラス扉６０の前側上部に配置された音響電飾ユニット８０の中継基板兼用のランプ基板１４０ａに対し導くための合成樹脂製の配線ダクト部材２３０が装着されている。
この実施例１において、配線ダクト部材２３０は、ガラス枠１８０の左右の両側枠部１８２のうち、自由端側に位置する側枠部１８２の外側に沿って装着されている。
【００４９】
図２０〜図２３に示すように、配線ダクト部材２３０は、ガラス枠１８０の側枠部１８２に対応する長さ寸法をもって上下方向に長尺状に形成されるとともに、前方に開口する配線用空間部２３０ａを構成する左右の両側壁部２３１、２３２と後壁部２３３とを備えて横断面略コの字状に形成されている。そして、配線ダクト部材２３０の配線用空間部２３０ａには、その前側開口部から複数本の接続線２２５が容易に挿通できるように構成されている。
すなわち、配線ダクト部材２３０が閉じ断面の筒状に形成されると、接続線２２５の端末コネクタ２２６が挿通できないことがある。これに対し、配線ダクト部材２３０が横断面略コの字状に形成されることで、その配線用空間部２３０ａの前側開口部から複数本の接続線２２５を容易に挿通できるようになっている。
【００５０】
また、図２２に示すように、外側に位置する側壁部２３１の前端には、扉本体フレーム６１の後面に当接する当接縁２３５が張り出し状に形成される。
一方、ガラス枠１８０の側枠部１８２側に位置する側壁部２３２は、外側の側壁部２３１よりもその前後方向の寸法が小さく形成され、その側壁部２３２の前端にはガラス枠１８０の側枠部１８２の前後の嵌込み溝１８３の間に形成された凹部の前側壁に接近あるいは当接する当接縁２３６が張り出し状に形成される。
【００５１】
図２０と図２１に示すように、配線ダクト部材２３０の外側の側壁部２３１の当接縁２３５の上下部には、扉本体フレーム６１の上下部に貫設された係止孔２６１に係合する下向きＬ字状の係止片２３７が形成されている。
また、扉本体フレーム６１の上下の係止孔２６１は、上半部に幅広部分２６２を、下半部に幅狭部分２６３を連通状に備えている。そして、配線ダクト部材２３０の上下の係止片２３７が、係止孔２６１の後方からその幅広部分２６２に挿入された後、配線ダクト部材２３０が下方にスライドされることで、上下の係止片２３７が係止孔２６１の幅狭部分２６３に係合するようになっている。
【００５２】
また、図２０と図２１に示すように、配線ダクト部材２３０の外側の側壁部２３１の当接縁２３５の上部寄り部分には、配線ダクト部材２３０の上下の係止片２３７が係止孔２６１の幅狭部分２６３に係合する位置までスライドされたときに、扉本体フレーム６１に貫設されたロック孔２６５に弾性的に係合して、配線ダクト部材２３０の上方の移動を阻止するロック爪２３９を有する弾性ロック片２３８が形成されている。
【００５３】
また、この実施例１において、図１２、図２０及び図２３に示すように、配線ダクト部材２３０の上下方向の複数箇所には、その後壁部２３３から両側壁部２３１、２３２の一部にわたる部分と、両側壁部２３１、２３２の当接縁２３５、２３６の部分とが除去されて結束部２４０が形成されている。そして、各結束部２４０の周囲に結束ベルト２５０が巻き付けられることで、配線ダクト部材２３０の配線用空間部２３０ａに挿通された複数本の接続線２２５が結束されるようになっている。
【００５４】
なお、結束ベルト２５０は、市販のものを用いることが可能であり、筒状をなし、かつ筒内に弾性変形可能なロック爪を有する本体部２５１と、その本体部２５１から一体に延出された長尺ベルト状をなすベルト部２５２とを備えている。
また、結束ベルト２５０の本体部２５１のロック爪と、ベルト部２５２の長手方向に形成された複数のロック歯は、ベルト部２５２の締め付け方向の移動は許容し反対方向（緩む方向）への移動は阻止する、いわゆるワンウエーの噛み合い構造を有している。
【００５５】
前記したように構成される配線ダクト部材２３０を用いてガラス枠１８０の自由端側に位置する側枠部１８２の外側に沿って複数本の接続線２２５を配線する場合、まず、配線ダクト部材２３０の前側開口部から配線用空間部２３０ａ内に複数本の接続線２２５を挿通してから、配線ダクト部材２３０の上下複数の結束部２４０に結束ベルト２５０を巻き付けて配線ダクト部材２３０の配線用空間部２３０ａ内に複数本の接続線２２５を結束する。
【００５６】
次に、配線ダクト部材２３０の上下の係止片２３７を、扉本体フレーム６１の係止孔２６１の後方からその幅広部分２６２に挿入した後、配線ダクト部材２３０を下方にスライドさせて上下の係止片２３７を係止孔２６１の幅狭部分２６３に係合させる。
これによって、配線ダクト部材２３０の弾性ロック片２３８のロック爪２３９が扉本体フレーム６１のロック孔２６５に弾性的に係合する。
このため、扉本体フレーム６１の後側において、ガラス枠１８０の自由端側に位置する側枠部１８２の外側に沿って配線ダクト部材２３０を容易にかつ確実に固定することができる。そして、複数本の接続線２２５を配線ダクト部材２３０の配線用空間部２３０ａ内に配線して保護することができる。
【００５７】
［実施例１に係る遊技機の作用効果について］
上述したように構成されるこの実施例１に係る遊技機において、ガラス扉６０の組立製造ラインとは別の場所において、ユニット本体８１の複数のスピーカ支持体９０にスピーカ９７をそれぞれ組み付け、ユニット本体８１と背面カバー体１５０との間に光源１１１を有するランプ基板１１０を配置した後、ユニット本体８１の周壁部８２の後側開口部を塞ぐようにして背面カバー体１５０を複数本のビス１５９等によって装着することによって、音響電飾ユニット８０を容易に構成することができる。このため、ガラス扉６０の組立製造ライン中に、スピーカ９７を装着する工程、及び光源１１１を有するランプ基板１１０を装着する工程を組み入れる必要性を解消することができ、ガラス扉６０の組立製造を簡略化することができる。
また、ユニット本体８１と背面カバー体１５０との間に構成された空間部に、光源１１１を有するランプ基板１１０が収納された状態で配設されることで、ランプ基板１１０を保護することができる。
【００５８】
前記したようにユニット化された音響電飾ユニット８０は、図４と図５に示すように、ガラス扉６０の扉本体フレーム６１の後方から締め付けられる複数のビス７９によって扉本体フレーム６１の前側上部に固定される。
そして、配線ダクト部材２３０の上端部から露出された複数本の接続線２２５の端末コネクタ２２６が、音響電飾ユニット８０の中継基板兼用のランプ基板１４０ａの後側に突出された基板コネクタ１４８に差し込まれて接続されることで、音響電飾ユニット８０に対する配線接続作業を容易にかつ手早く確実に行うことができる。
【００５９】
また、音響電飾ユニット８０のユニット本体８１に対し、複数（左右一対）のスピーカ支持体９２を一体に形成することによって、ユニット本体８１と別個にスピーカ支持体９２を製作して組み付ける手間を省くことができ、その分だけ部品点数や組付工数を削減して、コスト低減を図ることができる。
【００６０】
また、図８〜図１０に示すように、スピーカ支持体９０には、その後方からスピーカ９７が嵌込まれるスピーカ装着孔９３が形成されるとともに、そのスピーカ装着孔９３の前開口部近傍には、スピーカ９７の前側の前フランジ部９９に当接する支持縁９４が形成される一方、ユニット本体８１の周壁部８２を塞ぐようにしてその後側に装着された背面カバー体１５０には、スピーカ９７の前フランジ部９９の後面の複数箇所を前側に向けて押し付けて同前フランジ部９９とともに、スピーカカバー９５のカバー周縁部９６をスピーカ装着孔９３の支持縁９４に当接状態に保持する複数の押え体１５６が一体に形成されている。
これによって、スピーカ支持体９０のスピーカ装着孔９３の後方からスピーカカバー９５及びスピーカ９７が順に嵌込まれた後、ユニット本体８１の後側に背面カバー体１５０がビス１５９等によって装着されると同時に、スピーカ装着孔９３の支持縁９４と、背面カバー体１５０の押え体１５６との協働によってスピーカ９７の前フランジ部９９及びスピーカカバー９５のカバー周縁部９６を狭持してスピーカ９７を安定よく固定することができる。
このようにして、スピーカ支持体９０にスピーカ９７及びスピーカカバー９５をビスを用いることなく安定よく固定することができるため、スピーカ支持体９０に対するスピーカ９７及びスピーカカバー９５の装着作業を容易化することができる。
【００６１】
また、この実施例１において、図９と図１０に示すように、背面カバー体１５０には、ランプ基板１１０の後面に向けて突出する仕切壁１５８が形成され、スピーカ９７の振動板９７ａの後側には、ユニット本体８１のスピーカ支持体９０、背面カバー体１５０、仕切壁１５８、ランプ基板１１０及びユニット本体８１の周壁部８２によって囲まれた状態（区画された状態）で音響空間１６０を略密閉状態で構成することができる。
【００６２】
特に、スピーカ９７の後方からランプ基板１１０の配置領域（この実施例１ではランプ基板１１０の後側領域）にわたる広い範囲にわたって音響空間１６０を構成することができる。このため、スピーカ９７に対応する容積をもつ音響空間１６０を容易に形成することができ、音響効果を高めることができる。
例えば、スピーカ９７の振動板９７ａの後側が部分的に外部に開放された空間部である場合には、スピーカ９７の作動時の振動板９７ａの振動によって、その振動板９７ａの後側に発生する空気振動（逆位相の音）が空間部の開放された部分から外部に放出される。これによって、スピーカ９７の振動板９７ａの前側に発生する空気振動（正位相の音）が相殺されて音響効果が低下されることがある。
これに対し、スピーカ９７の振動板９７ａの後側にスピーカ９７に対応する音響空間１６０を区画した状態で形成することで、振動板９７ａの後側に発生する逆位相の音が外部に放出されることを防止することができる。
さらに、振動板９７ａの後側に発生する逆位相の音を音響空間１６０において良好に減衰することができ、逆位相の音の内部反射によって、振動板９７ａの動き（振動）が阻害されることを防止することができる。この結果、音響効果を良好に高めることができる。
【００６３】
しかも、複数（左右一対）のスピーカ９７に対応する複数（２つ）の音響空間１６０が複数（２つ）の仕切壁１５８によって区画されている。このため、複数のスピーカ９７の作動時において、複数の音響空間１６０の音が相互に干渉して音響効果を低下させる不具合も防止することができる。言い換えると、複数の音響空間１６０が連通されている場合には、複数のスピーカ９７の音が相互に干渉し、音響効果を悪化させる不具合が発生することがあるが、この実施例１ではこのような不具合を防止することができる。
また、背面カバー体１５０に対する複数の仕切壁１５８の配設位置を適宜に設定することによって、複数のスピーカ９７に対応する容積をもつ音響空間１６０をそれぞれ個別にかつ容易に区画形成することができる。
また、背面カバー体１５０の仕切壁１５８の突出端をランプ基板１１０の後面に当接させて同ランプ基板１１０の後面を押えて、ランプ基板１１０の前面をユニット本体８１の前側内壁面に押し当てることで、音響空間１６０を良好に区画形成することができるとともに、ランプ基板１１０の撓み変形を防止することができる。このため、この実施例１のように、ランプ基板１１０が横長である場合においてはその効果が大きい。
【００６４】
また、ユニット本体８１には、ランプ基板１１０の光源１１が発する光を拡散して反射する反射面（椀形状反射面１０１）が形成されているため、ユニット本体８１とは別個に反射鏡を製作してユニット本体８１に組み付ける手間を省くことができ、コスト低減に効果が大きい。
この実施例において、図８と図９に示すように、ユニット本体８１の中央部に一体に形成されたリフレクタ体１００の後側に光源１１１を有するランプ基板１１０が配置され、リフレクタ体１００の椀形状反射面１０１の中心部には、光源１１１が発する光を椀形状反射面１０１に向けて反射させる光反射体１２０が配置されている。
また、光反射体１２０の光反射部は、円錐形の凹部１２１ａによって、傾斜状の内反射面を有して断面略三角形状をなすプリズム体１２１を構成し、当該プリズム体１２１の内反射面を光源１１１から出射された光の内反射面に対する入射角が所定の範囲内になる角度に形成している。
そして、光源１１１が発する光をプリズム体１２１の後端面から入射させ、その一部の光をプリズム体１２１の前側から出射させる。また、プリズム体１２１の後端面から入射した多くの光をプリズム体１２１の傾斜状の内反射面において内反射させ、その側面から椀形状反射面１０１に向けて出射させる。このようにして、プリズム体１２１の傾斜状の内反射面を角度を適宜に設定して光源１１１が発する光を、プリズム体１２１の内反射面の前側に出射する光と、プリズム体１２１の内反射面において内反射させて、同プリズム体１２１の側面から出射する光に分散させる。
前記したようにして、光源１１１が発する光を有効に活用して光装飾効果を高めることができる。
【実施例２】
【００６５】
次に、この発明の実施例２を図２４と図２５にしたがって説明する。
この実施例２においては、背面カバー体１５０の嵌込部１５５の底部をなす壁部に、スピーカ９７の後端面を前方に向けて付勢する複数の弾性押え体１５７が、嵌込部１５５の中心部から放射状をなして形成されている。すなわち、嵌込部１５５の底部をなす壁部に複数の略Ｕ字状の切込み部１５７ａが放射状に形成されることで、弾性変形可能な複数の弾性押え体１５７が形成される。これら複数の弾性押え体１５７の自由端部の前側には、スピーカ９７の後端面に圧接する突起１５７ｂが突設されている。
その他の構成は実施例１と同様にして構成される。
【００６６】
したがって、この実施例２においては、スピーカ支持体９０のスピーカ装着孔９３の後方からスピーカ９７が嵌込まれた後、スピーカ支持体（ユニット本体８１）９０の後側に背面カバー体１５０がビス等によって装着されると同時に、スピーカ装着孔９３の支持縁９４と、背面カバー体１５０の弾性押え体１５７との協働によってスピーカ９７を固定することができる。
このため、この実施例２においてもスピーカ支持体９０に対しスピーカ９７をビスを用いることなく容易に固定することができるため、スピーカ支持体９０に対するスピーカ９７の着脱作業を容易化することができる。
【００６７】
［この発明の他の実施例について］
なお、この発明は前記実施例１及び２に限定するものではない。
例えば、実施例１においては、前枠体２１、遊技盤装着枠３０及び機構装着体４０が合成樹脂材によって一体成形されることで本体枠２０が構成される場合を例示したが、遊技盤が着脱可能に装着される遊技盤装着枠が一体に形成されたりあるいは別体の遊技盤装着枠が組み付けられる前枠体が本体枠である場合においてもこの発明を実施することができる。
また、前枠体は合成樹脂材以外の木質製であってもよい。
また、前記実施例１においては、音響電飾ユニット８０のユニット本体８１の中央部及び左右両側部にリフレクタ体１００とサイドリフレクタ体１３０とをそれぞれ一体に形成したが、リフレクタ体１００やサイドリフレクタ体１３０は必ずしも設けなくてもよい。この場合、ランプ基板１１０の光源１１１の前側にレンズ体を設ける構成にすればよい。
【００６８】
また、前記実施例においては、ガラス扉６０の前側上部に音響電飾ユニット８０が装着される遊技機である場合を例示したが、本体枠の前側に音響電飾ユニット８０が装着される遊技機であってもこの発明を実施することができる。
また、スロットマシン等の前面扉に音響電飾ユニット８０が装着される遊技機であってもこの発明を実施することができる。
【００６９】
前記実施例１及び２は次に述べる他の発明を含んでいる。
【００７０】
［他の発明の手段及び作用効果について］
他の発明の手段１は、
「スピーカボックス装置を前側に備えた遊技機であって、
前記スピーカボックス装置は、その前側を構成しかつスピーカを、その前フランジ部において支持するスピーカ支持体を一体に有する前ボックス構成体と、
前記前ボックス構成体の後側に装着され、同前ボックス構成体との間に空間部を構成して塞ぐ後ボックス構成体と、を備えてユニット化され、
前記スピーカ支持体には、後方からスピーカが嵌込まれるスピーカ装着孔が形成されるとともに、そのスピーカ装着孔の前開口部近傍には、前記スピーカの前フランジ部が当接可能な支持縁が形成され、
前記後ボックス構成体には、前記スピーカ支持体のスピーカ装着孔にスピーカが嵌込まれた後、同後ボックス構成体が前記前ボックス構成体の後側に装着されたときに、前記スピーカを前方に押し出して前記スピーカの前フランジ部を前記支持縁に押し付けて同スピーカを固定するスピーカ固定手段が設けられていることを特徴とする遊技機。」
を要旨とするものである。
【００７１】
ここで、遊技機は、パチンコ機、スロットマシン等を含む。
また、遊技機の前側とは、遊技機の本体枠（前枠）の前側や、その本体枠（前枠）の前側に開閉可能に装着されるガラス扉（あるいは開閉扉）の前側等をいう。
また、スピーカボックス装置は、前記実施例１及び２で述べた電飾が施されている音響電飾ユニット８０を含み、また、電飾が施されていない音響ユニット等も含む。
また、スピーカ支持体を一体に有する前ボックス構成体は、前記実施例１及び２で述べたユニット本体８１を含み、後ボックス構成体は、前記実施例１及び２で述べた背面カバー体１５０を含む。
また、スピーカ固定手段は、前記実施例１で述べた複数の押え体１５６、前記実施例２で述べた複数の弾性押え体１５７を含み、また、金属製バネ、ゴム等の弾性体を含む。
【００７２】
前記構成において、前ボックス構成体に一体に設けられたスピーカ支持体のスピーカ装着孔の後方からスピーカを嵌込んだ後、スピーカ収納体の後側に背面カバー体をビス等に装着すると、後ボックス構成体に設けられたスピーカ固定手段によって、スピーカを前方に押し出してその前フランジ部をスピーカ装着孔の支持縁に押し付けてスピーカを固定することができる。このため、スピーカをスピーカ支持体に固定するためのビスが不要となり、スピーカ収納体に対するスピーカの装着作業を容易化することができる。
すなわち、従来では、例えば、スピーカ取付部材に対し、スピーカを取り付ける場合には、スピーカの前フランジ部を通して複数本のビスをスピーカ取付部材にねじ込むことでスピーカ取付部材にスピーカを取り付けなければならず、複数本のビスをねじ込む作業に多くの手間が必要となり厄介であった（例えば、特開平８ー６６５３５号公報参照）。
これに対し、スピーカをスピーカ支持体に固定するためのビスが不要となり、スピーカ収納体に対するスピーカの装着作業を容易化することができる。
【００７３】
他の発明の手段２は、
「他の発明の手段１に記載の遊技機であって、
スピーカ固定手段は、スピーカの前フランジ部の後面の複数箇所をスピーカ装着孔の支持縁に押し付ける複数の押え体によって構成されていることを特徴とする遊技機。」
を要旨とするものである。
したがって、スピーカ支持体のスピーカ装着孔の後方からスピーカが嵌込まれた後、スピーカ収納体の後側に背面カバー体が装着されることによって、スピーカ装着孔の支持縁と、背面カバー体の複数の押え体との協働によってスピーカの前フランジ部を狭持して容易に固定することができる。このため、スピーカを固定するためのビスが不要となり、スピーカ収納体に対するスピーカの着脱作業を容易化することができる。
【００７４】
他の発明の手段３は、
「他の発明の手段１に記載の遊技機であって、
スピーカ固定手段は、スピーカの後面を弾性的に押圧して同スピーカの前フランジ部をスピーカ装着孔の支持縁に押し付ける単数又は複数の弾性押え体によって構成されていることを特徴とする遊技機。」
を要旨とするものである。
したがって、スピーカ支持体のスピーカ装着孔の後方からスピーカが嵌込まれた後、スピーカ収納体の後側に背面カバー体が装着されることによって、スピーカ装着孔の支持縁と、背面カバー体の複数の弾性押え体との協働によってスピーカの前フランジ部と同スピーカの後面を狭持して容易に固定することができる。このため、スピーカを固定するためのビスが不要となり、スピーカ支持体に対するスピーカの着脱作業を容易化することができる。
【図面の簡単な説明】
【００７５】
【図１】この発明の実施例に係る遊技機の外枠の一側に本体枠が開かれその本体枠の一側にガラス扉が開かれた状態を示す斜視図である。
【図２】同じく遊技機の前側全体を示す正面図である。
【図３】同じく遊技機を斜め右上前方から示す斜視図である。
【図４】同じくガラス扉と音響電飾ユニットとを分離して斜め左上前方から示す斜視図である。
【図５】同じくガラス扉と音響電飾ユニットとを分離して斜め左上後方から示す斜視図である。
【図６】同じく音響電飾ユニットを示す背面図である。
【図７】同じく図６のＶＩＩ−ＶＩＩ線に基づく断面図である。
【図８】同じく音響電飾ユニットの構成部材を分離して示す斜視図である。
【図９】同じく音響電飾ユニットの平断面図である。
【図１０】同じくユニット本体のスピーカ支持体にスピーカが装着された状態を拡大して示す平断面図である。
【図１１】同じくガラス扉全体を示す背面図である。
【図１２】同じくガラス扉を斜め左上後方から示す斜視図である。
【図１３】同じく図１１のＸＩＩＩ−ＸＩＩＩ線に基づくガラス扉の音響用通路を示す平断面である。
【図１４】同じく図１１のＸＩＶ−ＸＩＶ線に基づく上皿装置と上皿用球誘導部材との関係を示す側断面図である。
【図１５】同じく上皿用球誘導部材を後側から示す斜視図である。
【図１６】同じく上皿用球誘導部材を前側から示す斜視図である。
【図１７】同じくガラス扉のガラス枠とガラス押え部材とを分離して示す斜視図である。
【図１８】同じく図１１のＸＶＩＩＩ−ＸＶＩＩＩ線に基づくガラス押え部材の断面図である。
【図１９】同じくガラス枠、ガラス押え部材及び配線ダクト部材の関係を破断して示す説明図である。
【図２０】同じくガラス枠、ガラス押え部材及び配線ダクト部材の関係を分離して示す斜視図である。
【図２１】同じく扉本体フレームに配線ダクト部材が装着された状態を示す縦断面図である。
【図２２】同じく図２１のＸＸＩＩ−ＸＸＩＩ線に基づく配線ダクト部材の平断面図である。
【図２３】同じく図２１のＸＸＩＩＩ−ＸＸＩＩＩ線に基づく配線ダクト部材の平断面図である。
【図２４】この発明の実施例２の背面カバー体のスピーカ用の弾性押え体を示す平断面図である。
【図２５】同じく背面カバー体のスピーカ用の弾性押え体を示す正面図である。
【符号の説明】
【００７６】
２０  本体枠
６０  ガラス扉
８０  音響電飾ユニット
８１  ユニット本体
９０  スピーカ支持体
９３  スピーカ装着孔
９４  支持縁
９７  スピーカ
９９  周縁フランジ
１００  リフレクタ体
１１０  ランプ基板
１１１  光源
１２０  光反射体
１５０  背面カバー体
１５６  押え体
１５８  仕切壁
１６０  音響空間
【図１】
2005312938.tif 000003
【図２】
2005312938.tif 000004
【図３】
2005312938.tif 000005
【図４】
2005312938.tif 000006
【図５】
2005312938.tif 000007
【図６】
2005312938.tif 000008
【図７】
2005312938.tif 000009
【図８】
2005312938.tif 000010
【図９】
2005312938.tif 000011
【図１０】
2005312938.tif 000012
【図１１】
2005312938.tif 000013
【図１２】
2005312938.tif 000014
【図１３】
2005312938.tif 000015
【図１４】
2005312938.tif 000016
【図１５】
2005312938.tif 000017
【図１６】
2005312938.tif 000018
【図１７】
2005312938.tif 000019
【図１８】
2005312938.tif 000020
【図１９】
2005312938.tif 000021
【図２０】
2005312938.tif 000022
【図２１】
2005312938.tif 000023
【図２２】
2005312938.tif 000024
【図２３】
2005312938.tif 000025
【図２４】
2005312938.tif 000026
【図２５】
2005312938.tif 000027